(57)【特許請求の範囲】
【請求項１】
平面視で凸状となるように折り曲げられた線材からなる柱横線材が上下方向に間隔をおいて複数配置され、上記複数の柱横線材に溶接された３本以上の柱縦線材を有する支柱と、
網縦線材と網横線材とを格子状に溶接させた格子金網とを備え、
上記格子金網は、その網横線材が上記支柱の２本の柱縦線材に当接され、上記網横線材に当接された柱縦線材と上記網縦線材との間に、上記柱横線材の両端を嵌め込ませてなるとともに、上下２本組の上記柱横線材の両端が更に上記網横線材により挟み込まれ又はこれを挟み込むように嵌め込まれることにより、上記支柱に取り付けられていること
を特徴とするメッシュフェンス。
【請求項２】
上記支柱は、更に上記柱縦線材に外接するように巻き回された補強部材を更に備えること
を特徴とする請求項１記載のメッシュフェンス。
【請求項３】
上記網縦線材は、上記網横線材の表裏に２本以上の組で交互に取り付けられていること
を特徴とする請求項１又は２記載のメッシュフェンス。
【請求項４】
上記網縦線材は２本組からなり、その上端が互いに連結されている１本の線材で構成されていること
を特徴とする請求項１〜３のうち何れか１項記載のメッシュフェンス。
【請求項５】
２本組の上記網横線材は、その端部が互いに連結されている１本の線材で構成されていること
を特徴とする請求項１〜４のうち何れか１項記載のメッシュフェンス。
【請求項６】
上記網横線材は、その断面形状が扁平状とされていること
を特徴とする請求項１〜５のうち何れか１項記載のメッシュフェンス。
【請求項７】
上記格子金網には、調整パネルが配設され、
上記調整パネルは、横方向へ突出させた複数本のパネル横線材を備え、上下２本組の上記パネル横線材が上記網横線材により挟み込まれ又はこれを挟み込むように嵌め込まれてなること
を特徴とする請求項１〜６のうち何れか１項記載のメッシュフェンス。
【発明の詳細な説明】
【技術分野】
【０００１】
本発明は、網縦線材と網横線材とを格子状に固着させた略長方形状の格子金網を有するメッシュフェンスに関し、特に傾斜面に対応させて階段状に設置する、いわゆる斜張りを行うことができ、しかも組み立てが容易なメッシュフェンスに関する。
【背景技術】
【０００２】
従来より、道路との境界、敷地同士の境界等を仕切るフェンスとして、支柱と格子金網を組み合わせたメッシュフェンスが用いられている。このメッシュフェンスは、一般に多数の縦方向に配置した縦線材と横方向に配置した横線材との各交差箇所を、いずれも直交させて格子状の網の目状に組み合せ、長方形状に配置して各交点を溶接等により接合した格子金網を使用する。このとき、格子金網は、縦線材又は横線材に屈曲箇所を設け、そのフェンス面に多数の屈曲箇所を配置してこれを支柱としての機能を持たせる場合もある。
【０００３】
例えば、特許文献１の開示技術では、格子金網の少なくとも一方の端部を水平断面が凸形となる屈曲部に形成し、当該屈曲部の断面に対応して屈曲させた支持金具にフェンス下端を連結固定したメッシュフェンスが開示されている。この開示技術によれば、支柱等の枠部材が不要となることから施工労力の低減に寄与させることが可能となり、製造工程の簡略化も図ることが可能となるとされている。
【０００４】
しかしながら、このような特許文献１の開示技術は、あくまで格子金網に対して支柱の高さが固定されている。このため、格子金網に対する支柱の高さを自在に可変できないことから、メッシュフェンス傾斜面に対応させて階段状に設置する、いわゆる斜張りに対して適用することができないという問題点があった。また、支柱間隔も固定され、地勢に合わせて支柱を任意の場所に設けることができなかった。
【０００５】
また、特許文献２には、格子金網の端部に柱縦線材と横環とからなる筒型格子支柱を形成させ、この筒型格子支柱を隣接する他の格子金網の線材突出部と接続することにより、フェンスを構築する技術が開示されている。また特許文献３には、格子金網の両端部を正逆のＬ形、コ形又は半円形を形成させてこれを支柱としての機能を担わせる技術が開示されている。
【０００６】
しかしながら、これら特許文献２、３の開示技術についても、傾斜面に対応させて階段状に設置する斜張りを目的としたものではなく、また支柱と格子金網の互いの高さが固定されていることから、斜張りに対応することができないという問題点があった。
【０００７】
これに加えて、従来のメッシュフェンスは、組み立て時に工具や金具を必要とする場合が多いため、これらが不要でしかも誰もが容易に組み立てをおこなうことが可能な構成とすることが望まれていた。
【先行技術文献】
【特許文献】
【０００８】
【特許文献１】実開平６−３２６３２号公報
【特許文献２】特開平０１−２２３２７５号公報
【特許文献３】実開昭５５−１１３４５２号のマイクロフィルム
【発明の概要】
【発明が解決しようとする課題】
【０００９】
そこで、本発明は、上述した問題点に鑑みて案出されたものであり、その目的とするところは、傾斜面に対応させて階段状に設置するいわゆる斜張りを行うことでき、しかも組み立てが容易なメッシュフェンスを提供することにある。
【課題を解決するための手段】
【００１０】
本発明者は、上述した課題を解決するために、平面視で凸状となるように折り曲げられた複数段の柱横線材と、上記柱横線材に溶接された３本以上の柱縦線材を有する支柱と、網縦線材と網横線材とを格子状に溶接させた格子金網からなるメッシュフェンスを発明した。そして、格子金網は、その網横線材が上記支柱の２本の柱縦線材に当接され、上記網横線材に当接された柱縦線材と上記網縦線材との間に、上記柱横線材の両端を嵌め込ませてなるとともに、上下２本組の上記柱横線材の両端が更に上記網横線材により挟み込まれ又はこれを挟み込むように嵌め込まれることにより、上記支柱に取り付けられる形態とした。
【００１１】
即ち、第１の発明は、平面視で凸状となるように折り曲げられた線材からなる柱横線材が上下方向に間隔をおいて複数配置され、上記複数の柱横線材に溶接された３本以上の柱縦線材を有する支柱と、網縦線材と網横線材とを格子状に溶接させた格子金網とを備え、上記格子金網は、その網横線材が上記支柱の２本の柱縦線材に当接され、上記網横線材に当接された柱縦線材と上記網縦線材との間に、上記柱横線材の両端を嵌め込ませてなるとともに、上下２本組の上記柱横線材の両端が更に上記網横線材により挟み込まれ又はこれを挟み込むように嵌め込まれることにより、上記支柱に取り付けられていることを特徴とするメッシュフェンスである。
【００１２】
第２の発明は、第１の発明において、上記支柱は、更に上記柱縦線材に外接するように巻き回された補強部材を更に備えることを特徴とする。
【００１３】
第３の発明は、第１又は第２の発明において、上記網縦線材は、上記網横線材の表裏に２本以上の組で交互に取り付けられていることを特徴とする。
【００１４】
第４の発明は、第１〜３のうち何れか１の発明において、上記網縦線材は２本組からなり、その上端が互いに連結されている１本の線材で構成されていることを特徴とする。
【００１５】
第５の発明は、第１〜４のうち何れか１の発明において、２本組の上記網横線材は、その端部が互いに連結されている１本の線材で構成されていることを特徴とする。
【００１６】
第６の発明は、第１〜５のうち何れか１の発明において、上記網横線材は、その断面形状が扁平状とされていることを特徴とする。
【００１７】
第７の発明は、第１〜６のうち何れか１の発明において、上記格子金網には、調整パネルが配設され、上記調整パネルは、横方向へ突出させた複数本のパネル横線材を備え、上下２本組の上記パネル横線材が上記網横線材により挟み込まれ又はこれを挟み込むように嵌め込まれてなることを特徴とする。
【発明の効果】
【００１８】
上述した構成からなる本発明によれば、柱横線材の両端を、網縦線材の間に嵌め込ませて構成され、上下２本組の柱横線材の各両端が上下方向から網横線材により挟み込まれるようにして嵌め込まれている。これにより格子金網は、上下方向から挟み込まれる網横線材により、支柱に対して上下方向にずれてしまうのを強固に防止することができる。また、格子金網は、横方向から挟み込まれる網縦線材により、支柱に対して横方向にずれてしまうのを強固に防止することが可能となる。
【００１９】
また、上述した構成からなる本発明によれば、設置面が傾斜状に配設されている場合においても、支柱に対する格子金網の高さを自在に調整することができる。具体的には、上下２本組の柱横線材の両端の格子金網上の網横線材の嵌合位置を自在にシフトさせることにより高さ調整を実現することができる。また、地勢によっては支柱を一定の位置に設けることができない場合でも地勢に合せて任意の位置に支柱を設けることができる。
【００２０】
また、支柱と格子金網とを互いに取り付ける際には、支柱における２本の柱縦線材に、格子金網の網横線材を当接させ、更に柱横線材の両端を、柱縦線材と網縦線材の間に嵌め込ませて固定すればよいため、特に金具や工具を一切必要としない。このため、メッシュフェンスを組み立てる工程が簡略化され、誰もが容易に組み立てが可能となる。
【図面の簡単な説明】
【００２１】
【図１】平面状の設置面に対応させて設置する例を示す図である。
【図２】傾斜状の設置面に対応させて階段状に設置する、いわゆる斜張りを行う例を示す図である。
【図３】本発明を適用したメッシュフェンスの支柱付近における部分拡大斜視図である。
【図４】支柱に対して格子金網が取り付けられた状態の平面図である。
【図５】支柱に対して格子金網が取り付けられた状態の正面図である。
【図６】本発明を適用したメッシュフェンスを構成する支柱の平面図である。
【図７】本発明を適用したメッシュフェンスの支柱付近における他の部分拡大斜視図である。
【図８】中段にある網横線材を飛び越すようにして格子金網が取り付けられた形態を示す平面図である。
【図９】中段にある網横線材を飛び越すようにして格子金網が取り付けられた形態を示す他の平面図である。
【図１０】柱縦線材に外接するように巻き回された補強部材を示す図である。
【図１１】網縦線材を、網横線材の表裏に２本組で交互に取り付けた例を示す図である。
【図１２】網横線材の断面形状を扁平状に形成した例を示す図である。
【図１３】格子金網に調整パネルを配設した例を示す図である。
【発明を実施するための形態】
【００２２】
以下、本発明の実施の形態について詳細に説明する。
【００２３】
本発明を適用したメッシュフェンス１は、図１、２に示すように、設置面２上に固定される支柱３と、この支柱３に対して取り付けられる略長方形状の格子金網４とを備えている。ちなみに図１の形態では平面状の設置面２に設置する形態であり、図２は、傾斜状の設置面２に対応させて階段状に設置する、いわゆる斜張りを行うよう形態である。図３は、本発明を適用したメッシュフェンス１の支柱３付近における部分拡大斜視図であり、図４は、メッシュフェンス１の部分平面図を、図５はメッシュフェンス１の部分正面図を示している。また図６は、支柱３のみの平面図を示している。
【００２４】
支柱３は、柱横線材３１と柱縦線材３２とが設けられてなる。柱横線材３１と柱縦線材３２とは互いに直交するように配設されるものである。柱横線材３１と柱縦線材３２とは互いに溶接により固着されてなる。
【００２５】
柱横線材３１は、真上から見た状態（平面視）で凸状となるように折り曲げられた線材からなり、互いに上下方向に間隔をおいて複数配置されている。この柱横線材３１は、図６に示すようにＡ方向に向けて突出されている。このとき柱横線材３１は、平面視で略台形状となるように折り曲げられていてもよいし、平面視で長方形状となるように折り曲げられていてもよい。また柱横線材３１は、三角形状、五角形状、六角形状、多角形状で構成されていてもよいし、角形状に限らず、丸みを帯びるようにして、折り曲げ角を形成させることなく曲率を有するように折り曲げられていてもよい。ちなみに図６は、この柱横線材３１が略台形状となるように折り曲げられている例である。なお、この柱横線材３１は、いかなる形状に折り曲げられるものであっても、その両端が基準線Ｂの方向に向けて延長されていることが必須となる。
【００２６】
また、柱縦線材３２は、柱横線材３１に内接され、３本以上に亘り設けられている。図６の例では、柱横線材３１を略台形状となるように折り曲げられている場合に、柱縦線材３２ａ〜３２ｄの４本を内接させた場合を示している。平面視で、柱横線材３１におけるＡ方向の側面３１ａと、基準線Ｂとが略同一となるように調整されているものとしたとき、基準線Ｂに対して２本の柱縦線材３２ａ、３２ｂが接するものとしている。即ち、この柱縦線材３２ａ、３２ｂの側面と、柱横線材３１の側面３１ａとは基準線Ｂ上に位置することが望ましい。なお、この柱縦線材３２は、柱横線材３１に内接される場合に限定されるものではなく、外接されるものであってもよい。また、柱横線材３１と柱縦線材３２は、互いに溶接されている。
【００２７】
格子金網４は、網縦線材４２と網横線材４１とを格子状に固着させてメッシュ状に構成されている。この網縦線材４２は、隣接する他の網縦線材４２との間で所定間隔をおいて設けられている。また網横線材４１は、隣接する他の網横線材４１との間で所定間隔をおいて配設されている。この網縦線材４２と網横線材４１とは、互いに略直交する関係にあり、長方形状又は正方形状の格子模様を形成するものである。この格子金網４において、図４に示すように、支柱３が取り付けられる方向がＡ方向であるとした場合に、網縦線材４２は、網横線材４１を介してＡ方向側に設けられる。
【００２８】
支柱３に対して、このような格子金網４を取り付ける際には、先ず支柱３における２本の柱縦線材３２ａ、３２ｂに、格子金網４の網横線材４１を当接させる。これと共に柱横線材３１の両端を、当該当接された柱縦線材３２ａ、３２ｂと網縦線材４２の間に嵌め込ませて固定する。この柱横線材３１の両端は、横方向に延長されていることから、この網縦線材４２よりも内側において挿入させ、網縦線材４２に係止させることを実際には行っている。
【００２９】
上述したように柱縦線材３２ａ、３２ｂの側面と、柱横線材３１の側面３１ａとは基準線Ｂ上に位置させているため、柱縦線材３２ａ、３２ｂを網横線材４１に当接させたときに、図４に示すように、柱縦線材３２ａ、３２ｂと、網横線材４１上のＡ方向側に取り付けた網縦線材４２とが基準線Ｂ上において揃うことになり、また柱横線材３１の側面３１ａが網縦線材４２と基準線Ｂ上において揃うことになる。その結果、上述した所期の形態で柱横線材３１の両端の嵌合を行うことが可能となる。
【００３０】
また支柱３に対して、このような格子金網４を取り付ける際には、図５に示すように更に上下２本組の柱横線材３１＿１、３１＿２のそれぞれの両端が上下方向から網横線材４１＿１、４１＿２により挟み込まれるようにして嵌め込まれている。即ち、支柱３は、この柱横線材３１＿１、３１＿２の両端が、網縦線材４２により両横方向から挟み込まれることで嵌合され、網縦線材４１により上下方向から挟み込まれることで嵌合される。柱縦線材３２ａ、３２ｂの側面と、柱横線材３１の側面３１ａとは基準線Ｂ上に位置させているため、柱縦線材３２ａ、３２ｂを網横線材４１に当接させたときに、平面視で見た場合に図４に示すように柱横線材３１の両端は、網横線材４１と重なることになる。このため、柱横線材３１＿１、３１＿２の両端は、網縦線材４１により上下から押さえ込むことが可能となる。
【００３１】
図７は、上下２本組の柱横線材３１＿１、３１＿２の各両端により、格子金網４における網横線材４１＿１、４１＿２を挟み込んだ例を示している。即ち、支柱３は、この柱横線材３１＿１、３１＿２の両端が、網縦線材４２により両横方向から挟み込まれることで嵌合され、網縦線材４１を上下方向から挟み込むことで嵌合される。
【００３２】
ちなみに、この上下２本組の柱横線材３１＿１、３１＿２の各両端が、上下に隣接する網横線材４１＿１、４１＿２により上下方向から挟み込まれ又はこれを挟み込むように嵌め込まれる場合について説明したが、これに限定されるものではない。例えば、図８に示すように、上下２本組の柱横線材３１＿１、３１＿２の各両端が、網横線材４１＿１、４１＿３により上下方向から挟み込まれるものであってもよい。この網横線材４１＿３は、網横線材４１＿２よりもう一段下段に位置する網横線材４１である。この上下２本組の柱横線材３１＿１、３１＿２の各両端が、網横線材４１＿１、４１＿３により上下方向から挟み込まれる場合には、その中段にある網横線材４１＿２を飛び越す形態となる。
【００３３】
同様に図９に示すように、上下２本組の柱横線材３１＿１、３１＿２の各両端が、網横線材４１＿１、４１＿３を上下方向から挟み込むものであってもよい。この上下２本組の柱横線材３１＿１、３１＿２の各両端が、網横線材４１＿１、４１＿３を上下方向から挟み込む場合には、その中段にある網横線材４１＿２を飛び越す形態となる。
【００３４】
なお、図８、９の例では、あくまで網横線材４１＿１、４１＿３を嵌合対象としたものであるが、これに限定されるものではなく、網横線材４１＿１、４１＿３以外のいかなる網横線材４１をその嵌合対象としてもよい。
【００３５】
上述した構成からなる本発明によれば、柱横線材３１の両端を、網縦線材４２の間に嵌め込ませて構成され、上下２本組の柱横線材３１＿１、３１＿２の各両端が上下方向から網横線材４１により挟み込まれるようにして嵌め込まれている。これにより格子金網４は、上下方向から挟み込まれる網横線材４１により、支柱３に対して上下方向にずれてしまうのを強固に防止することができる。また、格子金網は、横方向から挟み込まれる網縦線材４２により、支柱３に対して横方向にずれてしまうのを強固に防止することが可能となる。
【００３６】
また、上述した構成からなる本発明によれば、例えば図２に示すように設置面２が傾斜状に配設されている場合においても、支柱３に対する格子金網４の高さを自在に調整することができる。具体的には、上下２本組の柱横線材３１の両端の格子金網４上の網横線材４１の嵌合位置を自在にシフトさせることにより高さ調整を実現することができる。また、設置面２が傾斜状ではなく階段状のものであっても、同様に支柱３に対する格子金網４の高さを自在に調整することができる。
【００３７】
また、本発明によれば隣接する支柱３間の間隔も自在に設定することが可能となる。即ち、上下２本組の柱横線材３１の両端の格子金網４上の網横線材４１の嵌合位置を横方向にシフトさせることにより、その支柱３の横方向の取り付け位置をも自由に設定することが可能となる。
【００３８】
更に、本発明によれば、格子金網４と支柱３との間で一体感が生まれ、デザイン的にも優れたものとして構成することが可能となる。この一体感は、格子金網４における網横線材４１と、支柱３における柱横線材３１の間隔がほぼ同一で構成されている点等から生まれるものであって、これを外側から視認した場合に違和感を起こさせない。
【００３９】
また、支柱３と格子金網４とを互いに取り付ける際には、支柱３における２本の柱縦線材３２ａ、３２ｂに、格子金網４の網横線材４１を当接させ、更に柱横線材３１の両端を、柱縦線材３２ａ、３２ｂと網縦線材４２の間に嵌め込ませて固定すればよいため、特に金具や工具を一切必要としない。このため、メッシュフェンス１を組み立てる工程が簡略化され、誰もが容易に組み立てが可能となる。
【００４０】
なお、本発明を適用したメッシュフェンス１は、上述した構成に限定されるものではない。例えば図１０に示すように、支柱３は、柱縦線材３２に外接するように巻き回された補強部材４５をさらに備えるようにしてもよい。図１０の例では、４本の柱縦線材３２ａ〜３２ｄの周囲に略台形状の環を構成するように補強部材４５を巻回したものである。補強部材４５は、金属製の線材で構成されている。この補強部材４５は、４本の柱縦線材３２ａ〜３２ｄを複数周回に亘り巻回したものであってもよい。また、この補強部材４５は、完全に環状に構成する場合のみならず、複数本の柱縦線材３２のうち一部のみに取り付けられるものであってもよい。このような補強部材４５を取り付けることにより、支柱３の強度、安定性をより向上させることが可能となる。
【００４１】
また、本発明を適用したメッシュフェンス１は、例えば図１１(a),(b)に示すように、網縦線材４２を、網横線材４１の表裏に２本組で交互に取り付けられるものであってもよい。即ち網縦線材４２は、２本組で配設されてなり、網横線材４１に対して図１１(a)中、Ａ方向とＣ方向に向けて交互に取り付けられている。これにより、メッシュフェンス１は、表裏の概念が無くなることから、施工時に表側か裏側に注意する必要も無くなり、施工効率を向上させることが可能となる。ちなみに、この網縦線材４２は、２本組で構成される場合に限定されるものではなく、２本以上で１つの組を作るものであればいかなるものであってもよい。また、このように網縦線材４２を、網横線材４１の表裏に２本組で交互に取り付けることにより、格子金網４自体の強度を向上させることが可能となる。そして、この格子金網４自体の強度を向上させることができることから、格子金網４の上端に胴縁を設ける必要性も無くなる。その結果、格子金網４自体を９０°に折り曲げる際にかかる同縁が障害になることも無くなり、格子金網４によりコーナー部を形成する際においても好適なものとなる。
【００４２】
また、本発明では、このように格子金網４自体の機械的強度を向上させることができるため、支柱３の上端を格子金網４の上端から突き出させ、又はそれと同程度の高さまで合わせる必要も無くなる。例えば図１、２に示すように、支柱３の上端じゃ、格子金網４の中段程度の位置に合わせるものであってもよい。格子金網４自体の強度が高いものであることから、支柱３の上端を格子金網４の上端まで合わせる必要が無くなる。
【００４３】
また、本発明を適用したメッスフェンス１は、図１１(b)に示すように、この２本組で配設される網縦線材４２の上端が互いに連結されている１本の線材で構成されていてもよい。即ち、この網縦線材４２は、１本の線材を折曲げ、かかる折曲げ部を上端として２本組となるように形成したものである。これにより、格子金網４の上端に線材の鋭利な端面が現れるのを防止することができ、安全性を向上させることができ、施工時の取扱性も改善することが可能となる。
【００４４】
同様に図１１(b)に示すように、２本組の網横線材４１の端部が互いに連結されている１本の線材で構成されていてもよい。これにより、格子金網４の左右端に線材の鋭利な端面が現れるのを防止することができ、安全性を向上させることができ、施工時の取扱性も改善することが可能となる。
【００４５】
また本発明では、図１２に示すように網横線材４１の断面形状を扁平状に形成させるようにしてもよい。これにより、格子金網４全体を面としてとらえたときの面強度を向上させることが可能となる。
【００４６】
更に上述した格子金網４は、例えば図１３(a)に示すように、調整パネル６が配設されていてもよい。この調整パネル６は、例えば隣接する２つの格子金網４間に中途半端な間隔が残ってしまった場合において、その間隔を埋めるべく配設されるものである。
【００４７】
調整パネル６は、パネル縦線材６２とパネル横線材６１とを格子状に固着させてメッシュ状に構成されている。このパネル縦線材６２は、隣接する他のパネル縦線材６２との間で所定間隔をおいて設けられている。またパネル横線材６１は、隣接する他のパネル横線材６１との間で所定間隔をおいて配設されている。このパネル縦線材６２とパネル横線材６１とは、互いに略直交する関係にあり、長方形状又は正方形状の格子模様を形成するものである。この調整パネル６において、上下２本組とされたパネル横線材６１の間隔は、網横線材４１の間隔に応じたものとなっている。
【００４８】
図１３(b)は、この調整パネル６を実際に格子金網４に配設した状態を示している。このとき、上下２本組のパネル横線材６１が網横線材４１により挟み込まれるようにして嵌め込まれることになる。このとき、上下２本組のパネル横線材６１が網横線材４１を挟み込むようにして嵌め込まれるものであってもよい。
【００４９】
これにより、特に金具や工具を一切必要とせずに調整パネル６を格子金網４に配設することが可能となり、作業工程をより簡略化させることが可能となる。
【００５０】
ちなみに、この調整パネル６は、パネル縦線材６２の構成は必須とならず、その代替として板材等、いかなる部材を用いてパネル横線材６１が取り付けられるものであってもよい。またパネル横線材６１の構成としては、横方向へ突出させた複数本で構成されていればいかなるものであってもよい。また、図１３に示すように上下２本組のパネル横線材６１の先端が互いに接続された１本の線材で構成されている場合に限定されるものではなく、互いにその先端が接続されていない形態で構成されていてもよい。また、このパネル横線材６１は、両横方向から突出されている場合のみならず、何れか一の横方向から突出されていればよい。
【符号の説明】
【００５１】
１  メッシュフェンス
２  設置面
３  支柱
４  格子金網
３１  柱横線材
３２  柱縦線材
４１  網横線材
４２  網縦線材
【図１】
0005587110.tif 000002
【図２】
0005587110.tif 000003
【図３】
0005587110.tif 000004
【図４】
0005587110.tif 000005
【図５】
0005587110.tif 000006
【図６】
0005587110.tif 000007
【図７】
0005587110.tif 000008
【図８】
0005587110.tif 000009
【図９】
0005587110.tif 000010
【図１０】
0005587110.tif 000011
【図１１】
0005587110.tif 000012
【図１２】
0005587110.tif 000013
【図１３】
0005587110.tif 000014